【手続補正書】
【提出日】平成25年9月20日(2013.9.20)
【手続補正１】
【補正対象書類名】明細書
【補正対象項目名】発明の名称
【補正方法】変更
【補正の内容】
【発明の名称】撮像装置、撮像方法及びプログラム
【手続補正２】
【補正対象書類名】明細書
【補正対象項目名】０００１
【補正方法】変更
【補正の内容】
【０００１】
本発明は、モニタ画面を備えた撮像装置、撮像方法及びプログラムに関する。
【手続補正３】
【補正対象書類名】明細書
【補正対象項目名】０００６
【補正方法】変更
【補正の内容】
【０００６】
上述した課題を解決するために本発明の一つの態様は、
モニタ画面と、
該モニタ画面上のタッチパネルと、
画像を撮影する撮像手段と、
前記撮像手段による画像の撮影後から前記モニタ画面に該画像を所定時間表示する処理であるレビュー表示中において、前記タッチパネルに対して行われたタッチ操作の種類を判別する判別手段と、
前記判別手段により判別されたタッチ操作の種類に応じて種類別処理を前記レビュー表示中の画像に対して実行する処理制御手段と、
を備えることを特徴とする撮像装置である。
上述した課題を解決するために本発明の他の態様は、
撮像装置における撮像方法であって、
画像を撮影する工程と、
前記画像の撮影後からモニタ画面に該画像を所定時間表示する処理であるレビュー表示中において、該モニタ画面上のタッチパネルに対して行われたタッチ操作の種類を判別する工程と、
前記判別されたタッチ操作の種類に応じて種類別処理を前記レビュー表示中の画像に対して実行する工程と、
を含むことを特徴とする撮像方法である。
【手続補正４】
【補正対象書類名】明細書
【補正対象項目名】０００７
【補正方法】変更
【補正の内容】
【０００７】
上述した課題を解決するために本発明の他の態様は、
コンピュータに、
画像を撮影する機能、
前記画像の撮影後からモニタ画面に該画像を所定時間表示する処理であるレビュー表示中において、該モニタ画面上のタッチパネルに対して行われたタッチ操作の種類を判別する機能、
前記判別されたタッチ操作の種類に応じて種類別処理を前記レビュー表示中の画像に対して実行する機能、
を実現させるためのプログラムである。
【手続補正５】
【補正対象書類名】明細書
【補正対象項目名】０００８
【補正方法】変更
【補正の内容】
【０００８】
また、上述した課題を解決するために本発明の一つの態様は、
モニタ画面と、
画像を撮影する撮像手段と、
前記撮像手段による画像の撮影後から前記モニタ画面に該画像を所定時間表示する処理であるレビュー表示中において、当該撮像装置を移動させる移動操作を検出する検出手段と、
前記検出手段により検出された移動操作の種類を判別する判別手段と、
前記判別手段により判別された移動操作の種類に応じて種類別処理を前記レビュー表示中の画像に対して実行する処理制御手段と、
を備えることを特徴とする撮像装置である。
上述した課題を解決するために本発明の他の態様は、
撮像装置における撮像方法であって、
画像を撮影する工程と、
前記画像の撮影後からモニタ画面に該画像を所定時間表示する処理であるレビュー表示中において、撮像装置を移動させる移動操作を検出する工程と、
前記移動操作が検出された場合にその移動の種類を判別する工程と、
前記判別された移動の種類に応じて種類別処理を前記レビュー表示中の画像に対して実行する工程と、
を含むことを特徴とする撮像方法である。
【手続補正６】
【補正対象書類名】明細書
【補正対象項目名】０００９
【補正方法】変更
【補正の内容】
【０００９】
上述した課題を解決するために本発明の他の態様は、
コンピュータに、
画像を撮影する機能と、
前記画像の撮影後からモニタ画面に該画像を所定時間表示する処理であるレビュー表示中において、撮像装置を移動させる移動操作を検出する機能、
前記移動操作が検出された場合にその移動の種類を判別する機能、
前記判別された移動の種類に応じて種類別処理を前記レビュー表示中の画像に対して実行する機能、
を実現させるためのプログラムである。
【手続補正７】
【補正対象書類名】明細書
【補正対象項目名】００１０
【補正方法】変更
【補正の内容】
【００１０】
更に、上述した課題を解決するために本発明の一つの態様は、
モニタ画面と、
画像を撮影する撮像手段と、
前記撮像手段による画像の撮影後から前記モニタ画面に該画像を所定時間表示する処理であるレビュー表示中において、前記撮像手段から取得した画像内の被写体の移動を検出する検出手段と、
前記検出手段により被写体の移動が検出された場合にその被写体を移動させた移動操作の種類を判別する判別手段と、
前記判別手段により判別された移動操作の種類に応じて種類別処理を前記レビュー表示中の画像に対して実行する処理制御手段と、
を備えることを特徴とする撮像装置である。
上述した課題を解決するために本発明の他の態様は、
撮像装置における撮像方法であって、
画像を撮影する工程と、
前記画像の撮影後からモニタ画面に該画像を所定時間表示する処理であるレビュー表示中において、撮影取得した画像内の被写体の移動を検出する工程と、
前記被写体の移動が検出された場合にその被写体を移動させた移動操作の種類を判別する工程と、
前記判別された移動操作の種類に応じて種類別処理を前記レビュー表示中の画像に対して実行する工程と、
を含むことを特徴とする撮像方法である。
【手続補正８】
【補正対象書類名】明細書
【補正対象項目名】００１１
【補正方法】変更
【補正の内容】
【００１１】
上述した課題を解決するために本発明の他の態様は、
コンピュータに、
画像を撮影する機能、
前記画像の撮影後からモニタ画面に該画像を所定時間表示する処理であるレビュー表示中において、撮影取得した画像内の被写体の移動を検出する機能、
前記被写体の移動が検出された場合にその被写体を移動させた移動操作の種類を判別する機能、
前記判別された移動操作の種類に応じて種類別処理を前記レビュー表示中の画像に対して実行する機能、
を実現させるためのプログラムである。
【手続補正９】
【補正対象書類名】特許請求の範囲
【補正対象項目名】全文
【補正方法】変更
【補正の内容】
【特許請求の範囲】
【請求項１】
モニタ画面と、
該モニタ画面上のタッチパネルと、
画像を撮影する撮像手段と、
前記撮像手段による画像の撮影後から前記モニタ画面に該画像を所定時間表示する処理であるレビュー表示中において、前記タッチパネルに対して行われたタッチ操作の種類を判別する判別手段と、
前記判別手段により判別されたタッチ操作の種類に応じて種類別処理を前記レビュー表示中の画像に対して実行する処理制御手段と、
を備えることを特徴とする撮像装置。
【請求項２】
前記判別手段は、前記タッチパネルに対するタッチ操作としてなぞる操作が行われた場合にそのなぞり方向を前記操作の種類として判別し、
前記処理制御手段は、前記判別手段により判別されたなぞり方向に応じた方向別処理を前記種類別処理として実行する、
ようにしたことを特徴とする請求項１記載の撮像装置。
【請求項３】
前記タッチパネルに対するタッチ操作として手書き文字入力操作が行われた場合にその文字入力操作により入力された手書き文字を認識する認識手段を更に備え、
前記判別手段は、前記認識手段により認識された手書き文字を前記操作の種類として判別し、
前記処理制御手段は、前記認識手段により認識された手書き文字に応じた文字別処理を前記種類別処理として実行する、
ようにしたことを特徴とする請求項１記載の撮像装置。
【請求項４】
前記処理制御手段は、前記レビュー表示中に前記判別手段によってタッチ操作の種類を判別することができなかった場合に、前記種類別処理に代わって通常の処理を前記レビュー表示中の画像に対して実行する、
ようにしたことを特徴とする請求項１乃至３のいずれか1項に記載の撮像装置。
【請求項５】
モニタ画面と、
画像を撮影する撮像手段と、
前記撮像手段による画像の撮影後から前記モニタ画面に該画像を所定時間表示する処理であるレビュー表示中において、当該撮像装置を移動させる移動操作を検出する検出手段と、
前記検出手段により検出された移動操作の種類を判別する判別手段と、
前記判別手段により判別された移動操作の種類に応じて種類別処理を前記レビュー表示中の画像に対して実行する処理制御手段と、
を備えることを特徴とする撮像装置。
【請求項６】
前記判別手段は、当該撮像装置の移動方向を前記移動操作の種類として判別し、
前記処理制御手段は、前記判別手段により判別された移動方向に応じた方向別処理を前記種類別処理として実行する、
ようにしたことを特徴とする請求項５記載の撮像装置。
【請求項７】
前記移動操作として手書き文字を入力する文字入力操作が行われた場合にその文字入力操作により入力された手書き文字を認識する認識手段を更に備え、
前記判別手段は、前記認識手段により認識された手書き文字を前記移動操作の種類として判別し、
前記処理制御手段は、前記認識手段により認識された手書き文字に応じた文字別処理を前記種類別処理として実行する、
ようにしたことを特徴とする請求項５記載の撮像装置。
【請求項８】
前記処理制御手段は、前記レビュー表示中に前記判別手段によって移動操作の種類を判別することができなかった場合に、前記種類別処理に代わって通常の処理を前記レビュー表示中の画像に対して実行する、
ようにしたことを特徴とする請求項５乃至７のいずれか1項に記載の撮像装置。
【請求項９】
モニタ画面と、
画像を撮影する撮像手段と、
前記撮像手段による画像の撮影後から前記モニタ画面に該画像を所定時間表示する処理であるレビュー表示中において、前記撮像手段から取得した画像内の被写体の移動を検出する検出手段と、
前記検出手段により被写体の移動が検出された場合にその被写体を移動させた移動操作の種類を判別する判別手段と、
前記判別手段により判別された移動操作の種類に応じて種類別処理を前記レビュー表示中の画像に対して実行する処理制御手段と、
を備えることを特徴とする撮像装置。
【請求項１０】
前記判別手段は、前記検出手段により被写体の移動が検出された場合に、その被写体の移動が所定方向への移動であれば、この移動方向を前記移動操作の種類として判別し、
前記処理制御手段は、前記判別手段により判別された移動方向に応じた方向別処理を前記種類別処理として実行する、
ようにしたことを特徴とする請求項９記載の撮像装置。
【請求項１１】
前記検出手段により被写体の移動が検出された場合に、その被写体の移動が手書き文字を入力する文字入力操作によるものであれば、その文字入力操作により入力された手書き文字を認識する認識手段を更に備え、
前記判別手段は、前記認識手段により認識された手書き文字を前記移動の種類として判別し、
前記処理制御手段は、前記認識手段により認識された手書き文字に応じた文字別処理を前記種類別処理として実行する、
ようにしたことを特徴とする請求項９記載の撮像装置。
【請求項１２】
前記処理制御手段は、前記レビュー表示中に前記判別手段によって移動操作の種類を判別することができなかった場合に、前記種類別処理に代わって通常の処理を前記レビュー表示中の画像に対して実行する、
ようにしたことを特徴とする請求項９乃至１１のいずれか1項に記載の撮像装置。
【請求項１３】
前記撮像手段による撮影後の画像を一時格納フォルダに格納した後、前記種類別処理が実行された場合に前記一時格納フォルダ内の画像を処理済み画像として消去する一時保存処理手段を更に備える、
ようにしたことを特徴とする請求項１〜請求項１２のいずれかに記載の撮像装置。
【請求項１４】
前記処理制御手段は、前記撮像手段により撮影された画像をその種類に応じたフォルダに振り分ける処理を種類別処理として実行する、
ようにしたことを特徴とする請求項１〜請求項１３のいずれかに記載の撮像装置。
【請求項１５】
前記処理制御手段は、前記撮像手段により撮影された画像のリネーム処理を種類別処理として実行する、
ようにしたことを特徴とする請求項１〜請求項１３のいずれかに記載の撮像装置。
【請求項１６】
前記処理制御手段は、前記撮像手段により撮影されて保存されている画像を削除する処理を前記種類別処理の一部として実行する、
ようにしたことを特徴とする請求項１〜請求項１３のいずれかに記載の撮像装置。
【請求項１７】
前記処理制御手段は、前記撮像手段により撮影された画像を保存する際の保存画像サイズを変更する処理を前記種類別処理として実行する、
ようにしたことを特徴とする請求項１〜請求項１３のいずれかに記載の撮像装置。
【請求項１８】
前記処理制御手段は、前記撮像手段により撮影された画像のファイル属性を指定する処理を前記種類別処理として実行する、
ようにしたことを特徴とする請求項１〜請求項１３のいずれかに記載の撮像装置。
【請求項１９】
撮像装置における撮像方法であって、
画像を撮影する工程と、
前記画像の撮影後からモニタ画面に該画像を所定時間表示する処理であるレビュー表示中において、該モニタ画面上のタッチパネルに対して行われたタッチ操作の種類を判別する工程と、
前記判別されたタッチ操作の種類に応じて種類別処理を前記レビュー表示中の画像に対して実行する工程と、
を含むことを特徴とする撮像方法。
【請求項２０】
撮像装置における撮像方法であって、
画像を撮影する工程と、
前記画像の撮影後からモニタ画面に該画像を所定時間表示する処理であるレビュー表示中において、撮像装置を移動させる移動操作を検出する工程と、
前記移動操作が検出された場合にその移動の種類を判別する工程と、
前記判別された移動の種類に応じて種類別処理を前記レビュー表示中の画像に対して実行する工程と、
を含むことを特徴とする撮像方法。
【請求項２１】
撮像装置における撮像方法であって、
画像を撮影する工程と、
前記画像の撮影後からモニタ画面に該画像を所定時間表示する処理であるレビュー表示中において、撮影取得した画像内の被写体の移動を検出する工程と、
前記被写体の移動が検出された場合にその被写体を移動させた移動操作の種類を判別する工程と、
前記判別された移動操作の種類に応じて種類別処理を前記レビュー表示中の画像に対して実行する工程と、
を含むことを特徴とする撮像方法。
【請求項２２】
コンピュータに、
画像を撮影する機能、
前記画像の撮影後からモニタ画面に該画像を所定時間表示する処理であるレビュー表示中において、該モニタ画面上のタッチパネルに対して行われたタッチ操作の種類を判別する機能、
前記判別されたタッチ操作の種類に応じて種類別処理を前記レビュー表示中の画像に対して実行する機能、
を実現させるためのプログラム。
【請求項２３】
コンピュータに、
画像を撮影する機能と、
前記画像の撮影後からモニタ画面に該画像を所定時間表示する処理であるレビュー表示中において、撮像装置を移動させる移動操作を検出する機能、
前記移動操作が検出された場合にその移動の種類を判別する機能、
前記判別された移動の種類に応じて種類別処理を前記レビュー表示中の画像に対して実行する機能、
を実現させるためのプログラム。
【請求項２４】
コンピュータに、
画像を撮影する機能、
前記画像の撮影後からモニタ画面に該画像を所定時間表示する処理であるレビュー表示中において、撮影取得した画像内の被写体の移動を検出する機能、
前記被写体の移動が検出された場合にその被写体を移動させた移動操作の種類を判別する機能、
前記判別された移動操作の種類に応じて種類別処理を前記レビュー表示中の画像に対して実行する機能、
を実現させるためのプログラム。